(57)【要約】【課題】携帯電話機に代表される電子機器の生産性の改善を図ることを目的の一とする。【解決手段】複数の部品を組み立てて完成される電子機器の生産方法に関し、一の部品を一又は複数の部品メーカーから供給を受ける場合において、当該一の部品の入出力特性が異なるものあるときに、当該部品の信号を受けて動作する機能回路の動作を制御する制御プログラムを、当該部品の入出力特性に応じて適宜変更し、完成されるべき電子機器の記録媒体にインストールすることを要旨とする。【選択図】図１
2010008581.tif 000002
【特許請求の範囲】
【請求項１】
表示パネルを有し、該表示パネルの画面輝度を、外光照度を検出する光センサによって調節可能とした電子機器であって、
一又は複数の部品メーカーにより供給される光センサの仕様が、
高照度になると共にカウント数が増加するデジタル照度信号を出力する光センサと、
低照度になると共にカウント数が増加するデジタル照度信号を出力する光センサとの、
少なくとも二種類がある場合において、
いずれの仕様の光センサをも自由に選択可能とするように、
前記表示パネルを照明する光源部の輝度が外光照度が強くなると共に高くなるように、
光源駆動部において、外光照度の増加と共に光源部の輝度が高くなる制御信号を生成するための制御プログラムをインストール可能な記録媒体を備えたこと
を特徴とする電子機器。
【請求項２】
表示パネルを有し、該表示パネルの画面輝度を、外光照度を検出する光センサによって調節可能とした電子機器であって、
一又は複数の部品メーカーにより供給される光センサの仕様が、
高照度になると共にカウント数が増加するデジタル照度信号を出力する第１の光センサと、
低照度になると共にカウント数が増加するデジタル照度信号を出力する第２の光センサとの、
少なくとも二種類がある場合において、
いずれの仕様の光センサをも自由に選択可能とするように、
前記表示パネルを照明する光源部の輝度が、外光照度が強くなると共に高くなるように、
光源駆動部において、外光照度の増加と共に光源部の輝度が高くなる制御信号を生成する制御プログラムを、前記第１の光センサ又は前記第２の光センサの仕様に応じて記録媒体にインストール可能な記録媒体を備えたこと
を特徴とする電子機器。
【請求項３】
表示パネルを有し、該表示パネルの画面輝度を、外光照度を検出する光センサによって調節可能とした電子機器であって、
部品メーカーにより供給される光センサの仕様が、
低照度になると共にカウント数が増加するデジタル照度信号を出力する光センサであり、
その光センサの供給を受ける電子機器のセットメーカーにおいて、
前記表示パネルを照明する光源部の輝度が、外光照度が強くなると共に高くなるように、
光源駆動部において、外光照度の増加と共に光源部の輝度が高くなる制御信号を生成する制御プログラムを記録媒体にインストール可能な記録媒体を備えたこと
を特徴とする電子機器。
【請求項４】
表示パネルを有し、該表示パネルの画面輝度を、外光照度を検出する光センサによって調節可能とした電子機器の生産方法であって、
一又は複数の部品メーカーにより供給される前記光センサの仕様が、
高照度になると共にカウント数が増加するデジタル照度信号を出力する光センサと、
低照度になると共にカウント数が増加するデジタル照度信号を出力する光センサとの、
少なくとも二種類がある場合において、
その異なる仕様の光センサの供給を受ける前記表示装置のセットメーカーにおいて、
前記表示パネルを照明する光源部の輝度が、外光照度が強くなると共に高くなるように、
光源駆動部において、外光照度の増加と共に光源部の輝度が高くなる制御信号を生成する制御する制御プログラムを、前記光センサの仕様に応じて記録媒体にインストールすること
を特徴とする電子機器の生産方法。
【請求項５】
表示パネルを有し、該表示パネルの画面輝度を、外光照度を検出する光センサによって調節可能とした電子機器の生産方法であって、
一又は複数の部品メーカーにより供給される前記光センサの仕様が、
高照度になると共にカウント数が増加するデジタル照度信号を出力する第１の光センサと、
低照度になると共にカウント数が増加するデジタル照度信号を出力する第２の光センサとの、
少なくとも二種類がある場合において、
その異なる仕様の光センサの供給を受ける前記表示装置のセットメーカーにおいて、
高照度側の画面輝度を精密に制御したい場合には第１の光センサを選択し、
低照度側の画面輝度を精密に制御したい場合には第２の光センサを選択し、
そのいずれか一の光センサを選択した場合であっても、
前記表示パネルを照明する光源部の輝度が、外光照度が強くなると共に高くなるように、
光源駆動部において、外光照度の増加と共に光源部の輝度が高くなる制御信号を生成する制御プログラムを、前記第１の光センサ又は前記第２の光センサの仕様に応じて記録媒体にインストールすること
を特徴とする電子機器の生産方法。
【請求項６】
表示パネルを有し、該表示パネルの画面輝度を、外光照度を検出する光センサによって調節可能とした電子機器の生産方法であって、
部品メーカーにより供給される前記光センサの仕様が、
低照度になると共にカウント数が増加するデジタル照度信号を出力する光センサである場合において、
その光センサの供給を受ける前記表示装置のセットメーカーにおいて、
前記表示パネルを照明する光源部の輝度が、外光照度が強くなると共に高くなるように、
光源駆動部において、外光照度の増加と共に光源部の輝度が高くなる制御信号を生成する制御プログラムを記録媒体にインストールすること
を特徴とする電子機器の生産方法。
【発明の詳細な説明】
【技術分野】
【０００１】
本発明は電子工学或いは生産技術の分野に属し、具体例として電子機器及びその生産技術、或いはビジネスモデルに関する。
【背景技術】
【０００２】
消費電力を削減するために、周囲の明るさに応じて液晶表示画面の明るさを自動的に制御する携帯電話機が知られている。例えば、光センサが周囲の明るさを検知して、輝度信号を制御回路に出力し、該制御回路がバックライトの明るさを制御する携帯電話機がある（特許文献１参照）。また、通話時に利用者の身体の一部に覆われる場所に光センサを設置して、通話時に表示画面の照明を減光する携帯電話機などが知られている（特許文献２参照）。
【特許文献１】特開２０００−３２４２３９号公報
【特許文献２】特開２００２−３７４３４８号公報
【発明の開示】
【発明が解決しようとする課題】
【０００３】
携帯電話機に代表される電子機器は、高機能若しくは高性能化を実現しつつ、低消費電力化を図る必要がある。また、これらの電子機器は激しいコスト競争にもさらされていることに加え、製品のライフサイクルが短く、システム設計に過剰な負担が強いられている実情がある。さらに、セットメーカーは、複数の部品メーカーから部品の供給を受けて、調達コストを下げるとともに部品の安定供給を図ることが必須の命題となっている。
【０００４】
そこで本発明は、携帯電話機に代表される電子機器の生産性の改善を図ることを目的の一とする。また、携帯電話機に代表される電子機器において、仕様の異なる部品に柔軟に対応することを目的の一とする。
【課題を解決するための手段】
【０００５】
本発明は、複数の部品を組み立てて完成される電子機器の生産方法に関し、一の部品を一又は複数の部品メーカーから供給を受ける場合において、当該一の部品の入出力特性が異なるものあるときに、当該部品の信号を受けて動作する機能回路の動作を制御する制御プログラムを、当該部品の入出力特性に応じて適宜変更し、完成されるべき電子機器の記録媒体にインストールすることを要旨とする。
【０００６】
本発明の一は、表示パネルの画面輝度を、外光照度を検出する光センサによって調節可能とした電子機器である。この電子機器は、部品メーカーにより供給される光センサの仕様が、低照度になると共にカウント数が増加するデジタル照度信号を出力する光センサであり、その光センサの供給を受ける電子機器のセットメーカーにおいて、表示パネルを照明する光源部の輝度が外光照度が強くなると共に高くなるように、光源駆動部において外光照度の増加と共に光源部の輝度が高くなる制御信号を生成する制御プログラムを記録媒体にインストール可能な記録媒体を備えている。
【０００７】
本発明の一は、表示パネルの画面輝度を、外光照度を検出する光センサによって調節可能とした電子機器である。この電子機器は、一又は複数の部品メーカーにより供給される光センサの仕様が、高照度になると共にカウント数が増加するデジタル照度信号を出力する光センサと、低照度になると共にカウント数が増加するデジタル照度信号を出力する光センサとの少なくとも二種類がある場合、いずれの仕様の光センサをも自由に選択可能とし、表示パネルを照明する光源部の輝度が外光照度が強くなると共に高くなるように、光源駆動部において外光照度の増加と共に光源部の輝度が高くなる制御信号を生成するための制御プログラムをインストール可能な記録媒体を備えている。
【０００８】
本発明の一は、表示パネルの画面輝度を、外光照度を検出する光センサによって調節可能とした電子機器である。この電子機器は、一又は複数の部品メーカーにより供給される光センサの仕様が、高照度になると共にカウント数が増加するデジタル照度信号を出力する第１の光センサと、低照度になると共にカウント数が増加するデジタル照度信号を出力する第２の光センサとの少なくとも二種類がある場合、いずれの仕様の光センサをも自由に選択可能とし、表示パネルを照明する光源部の輝度が外光照度が強くなると共に高くなるように、光源駆動部において外光照度の増加と共に光源部の輝度が高くなる制御信号を生成する制御プログラムを、第１の光センサ又は第２の光センサの仕様に応じて記録媒体にインストール可能な記録媒体を備えている。
【０００９】
本発明の一は、表示パネルを有し、該表示パネルの画面輝度を、外光照度を検出する光センサによって調節可能とした電子機器の生産方法に関する。部品メーカーにより供給される光センサの仕様が低照度になると共にカウント数が増加するデジタル照度信号を出力する光センサである場合、その光センサの供給を受ける表示装置のセットメーカーにおいて、表示パネルを照明する光源部の輝度が、外光照度が強くなると共に高くなるように、光源駆動部で外光照度の増加と共に光源部の輝度が高くなる制御信号を生成する制御プログラムを記録媒体にインストールする。
【００１０】
本発明の一は、表示パネルを有し、該表示パネルの画面輝度を、外光照度を検出する光センサによって調節可能とした電子機器の生産方法に関する。一又は複数の部品メーカーにより供給される光センサの仕様が高照度になると共にカウント数が増加するデジタル照度信号を出力する光センサと、低照度になると共にカウント数が増加するデジタル照度信号を出力する光センサとの少なくとも二種類がある場合、その異なる仕様の光センサの供給を受ける表示装置のセットメーカーにおいて、表示パネルを照明する光源部の輝度が、外光照度が強くなると共に高くなるように、光源駆動部において外光照度の増加と共に光源部の輝度が高くなる制御信号を生成する制御する制御プログラムを、光センサの仕様に応じて記録媒体にインストールする。
【００１１】
本発明の一は、表示パネルを有し、該表示パネルの画面輝度を、外光照度を検出する光センサによって調節可能とした電子機器の生産方法に関する。一又は複数の部品メーカーにより供給される光センサの仕様が高照度になると共にカウント数が増加するデジタル照度信号を出力する第１の光センサと、低照度になると共にカウント数が増加するデジタル照度信号を出力する第２の光センサとの少なくとも二種類がある場合、その異なる仕様の光センサの供給を受ける表示装置のセットメーカーにおいて、高照度側の画面輝度を精密に制御したい場合には第１の光センサを選択し、低照度側の画面輝度を精密に制御したい場合には第２の光センサを選択し、そのいずれか一の光センサを選択した場合であっても、表示パネルを照明する光源部の輝度が、外光照度が強くなると共に高くなるように、光源駆動部において外光照度の増加と共に光源部の輝度が高くなる制御信号を生成する制御プログラムを、第１の光センサ又は第２の光センサの仕様に応じて記録媒体にインストールする。
【発明の効果】
【００１２】
本発明によれば、互換性のある一の部品を一又は複数の部品メーカーから供給を受ける場合において、当該一の部品の出力特性が異なる場合であっても、当該部品の信号を処理する制御プログラムを当該部品の入出力特性に応じて適宜変更し電子機器の記録媒体にインストールすることで、仕様の異なる部品を容易に扱うことができ、生産性の改善を図ることができる。
【発明を実施するための最良の形態】
【００１３】
本発明の実施の形態について、図面を用いて以下に説明する。但し、本発明は以下の説明に限定されず、本発明の趣旨及びその範囲から逸脱することなくその形態及び詳細をさまざまに変更し得ることは当業者であれば容易に理解される。従って、本発明は以下に示す実施の形態の記載内容に限定して解釈されるものではない。以下に説明する本発明の構成において、同じものを指す符号は異なる図面間で共通して用いる。
【００１４】
（電子機器のシステム）
図１は本形態に係る電子機器の機能ブロック図の一例を示す。電子機器１００は、送受信部１０１、音声入力部１０２、光センサ部１０３、タイミング制御部１０６、照明駆動部１０９、音声出力部１１０、入力受付部１１１及び記録媒体１１２がシステム制御部１０５と接続されている。
【００１５】
送受信部１０１は、フィルタ、アンプ等を含む無線信号を送受信する無線回路であり、システム御部１０５の指示に従い、音声、画像及び文字等の通信データを無線で送信し、また、電子機器１００に送られて来る通信データを受信して、システム御部１０５に出力する。
【００１６】
音声出力部１１０は圧電素子等からなるスピーカであり、システム制御部１０５から受け取った音声信号にしたがい音声を出力する。
入力受付部１１１は、電話番号及び電子メール等の数字及び文字を入力するためのテンキー等からなり、これらキーにより入力された数字及び文字などをシステム制御部１０１に出力する。
【００１７】
照明光源部１０７は、ＬＥＤ（Ｌｉｇｈｔ  Ｅｍｉｔｔｉｎｇ  Ｄｉｏｄｅ）からなり、入力受付部１１１及び表示パネル１０４を照明するためのバックライトであり、照明駆動部１０９により発光の点灯又は消灯及び輝度が制御される。照明駆動部１０９の動作はシステム制御部１０５により行われる。
光センサ１０３はフォトダイオードなどからなり、システム制御部１０５に照度に関する信号を出力する。照明駆動部１０９の輝度制御は、光センサ１０３の出力信号によって制御される。
【００１８】
システム制御部１０５は、音声、画像及び文字等の通信データを処理して電子機器１００の動作を制御する。電子機器１００の電源投入時には、記録媒体１１２からオペレーティング・プログラムを読み込んで動作を開始する。電子機器１００の機能を発揮させるための初期画面は表示パネル１０４に表示される。この初期画面を生成する画像信号は、記録媒体１１２から読み出され、システム制御部１０５で処理された画像信号がタイミング制御部１０６を通して表示パネル１０４に出力される。また、システム制御部１０５は、送受信部１０１で受信した画像信号等を処理して表示パネル１０４に画像表示させる処理を行う。
【００１９】
システム制御部１０５は、送受信部１０１に対し、音声信号を入出力し、送受信部１０１から音声信号を受け取り、また、音声出力部１０２に音声信号を出力する。さらに、システム制御部１０６は、入力受付部１１１から電子メールなどのデータを受け取り、このデータを送受信する処理を実施する。
【００２０】
電子機器１００が通話機能を有する場合には、システム制御部１０５において無線電話として一般的な処理を制御するＤＳＰ（Ｄｉｇｉｔａｌ  Ｓｉｇｎａｌ  Ｐｒｏｃｅｓｓｏｒ）等を有する。ＤＳＰは入力受付部１１１より電話番号が受付けられると、この電話番号の電話機に対して呼び出しを行い、外部より電話がかかってきた場合においても、呼び出し音を出すように音声出力部１１０を動作させる制御を行う。このような動作を行う場合でも、電子機器１００は、利用者が動作状態を確認できるように、通話の待ち受け、呼び出し等の動作状態が表示パネル１０４に表示される。
【００２１】
このように、表示パネル１０４には、電子機器１００の動作に応じて様々な情報が表示されることとなる。そのため、利用者の視認性を良好に保つためには、表示パネル１０４の明るさを使用環境に応じて制御する必要がある。また、照明光源部１０７の機器全体に占める消費電力の割合が高いので、電子機器１００の消費電力を低減するためには、表示パネル１０４の明るさをきめ細かく制御する必要がある。そのため、光センサ部１０３に求められる仕様は、電気機器１００の用途によって異なってくる。
【００２２】
（光センサの構成）
図２に光センサ１０３の構成を示す。光センサ１０３はフォトダイオード１１３と信号処理回路１１４で構成されている。信号処理回路１１４は、フォトダイオードの出力を検出する回路、当該出力の強弱に応じて信号を出力する回路が含まれる。フォトダイオード１１３は光センサ１０３の受光面側に設けられ、好適には略中央部に配置される。信号処理回路１１４はフォトダイオード１１３の周辺部分に配置されている。また、光センサ１０３の受光面の反対側には入出力端子１１５が配置されている。
【００２３】
光センサ１０３がデジタル信号を出力するものである場合、その信号出力は、図３（Ａ）（Ｂ）で示すように二種類のものがある。図３（Ａ）は、低照度でカウント値が高く高照度になるにつてカウント値が減少するものと、同図（Ｂ）で示すように照度が高くなると共にカウント値が増加するものの二種類がある。光センサ１０３において、この二種類の出力態様は、電子機器に取り付けて用いる際にその用途に応じて選択することができる。例えば、電子機器の表示画面の明るさを制御するには、人間の生活環境である０．１〜６５００ルクスの範囲で照度を検知する必要があり、この場合、光センサ１０３の出力態様としては図３（Ａ）に示すように、低照度側でカウント値を高く出力するタイプのものが好ましい。
【００２４】
図４は、図３（Ａ）に示すように、低照度側でカウント値を高く出力する光センサ１０３の回路構成を示す。フォトダイオード１１３、増幅回路１１６、第１スイッチ１１７、第２スイッチ１１８、キャパシタ１１９、コンパレータ１２０（比較回路ともいう）を有する。フォトダイオード１１３は、一方の端子（陰極側）に高電源電位（Ｖｄｄ）が供給され、他方の端子（陽極側）が増幅回路１１６の入力側に電気的に接続されている。増幅回路１１６は、フォトダイオード１１３の出力電流を増幅するための回路である。増幅回路１１６は低電源電位（Ｖｓｓ）が供給されている。フォトダイオード１１３及び増幅回路１１６を併せて、光検出回路１２１ともいう。また、第１スイッチ１１７の一方の端子は第１の電位（充電電位、またはＶｓｅｔともいう）が供給され、他方の端子はキャパシタ１１９、及び第２スイッチ１１８の一方の端子、及びコンパレータ１２０の非反転入力端子に電気的に接続されている。キャパシタ１１９には低電源電位が供給されている。第２スイッチ１１８はコンパレータ１２０の非反転入力端子と増幅回路１１６の間に設けられている。コンパレータ１２０の反転入力端子には第２の電位（参照電位、またはＶｒｅｆともいう）が供給され、コンパレータ１２０の出力端子より出力信号（以下、出力信号、Ｖｏｕｔともいう）が出力される。
【００２５】
図４で示す光センサ１０３は、第１スイッチ１１７を閉じて、キャパシタ１１９に第１の電位（Ｖｓｅｔ）を印加し、キャパシタ１１９の電荷量を一定に制御し、初期状態とする。その後、第１のスイッチ１１７を開き、所定のタイミングで第２のスイッチ１１８を閉じて、照度に応じてフォトダイオード１１３の光電流、すなわち電荷をキャパシタ１１９に一定期間充電するこの動作は、キャパシタ１１９から電荷を放電させる動作としても良い）。キャパシタ１１９への電荷の充電量又は放電量はフォトダイオード１１３が検知する照度によって異なるため、コンパレータ１２０でキャパシタ１１９の電位を検知することで、コンパレータ１２０の出力端子より出力される出力信号の電位の変化に要する時間を検出し、カウンター回路及びラッチ回路によってデジタル信号に変換することができる。
【００２６】
（電子機器の構成）
このような光センサ１０３は、電子機器のセットメーカーにより、当該機器に組み込まれる。その一例として、図５は携帯電話機１２２の組立図の概要を示す。携帯電話機１２２は、操作スイッチ類１２３、マイクロフォン１２４などが備えられた操作部本体１２５と、主表示パネル１２６、副表示パネル１２７、スピーカ１２８などが備えられた表示部本体１２９とが蝶番１３０で開閉可能に連結されている。
【００２７】
主表示パネル１２６と副表示パネル１２７は、光センサ１０３及び信号処理回路１１４を構成する各部品が実装された回路基板１３１と共に表示部本体１２９の筐体１３２に収納される。主表示パネル１２６及び副表示パネル１２７の画面を構成する部分は、筐体１３２に形成された開口窓から視認できように配置される。
【００２８】
図６は、主表示パネル１２６と回路基板１３１を組み合わせたモジュールを示す。表示パネル１２６と回路基板１３１とはフレキシブル配線基板１３３で接続されている。回路基板１３１には、光センサ１０３の他に、システム制御部１０５、タイミング制御部１０６、照明駆動部１０９、半導体メモリで構成される記録媒体１１２などが実装されている。主表示パネル１２６が液晶パネルである場合には、照明光源部１０７が設けられ、発光ダイオード（ＬＥＤ）による光源１０８が設けられている。光源１０８の明るさは、照明駆動部１０９によって制御される。照明光源部１０７を実装する態様においては、照明駆動部１０９と発光ダイオード（ＬＥＤ）による光源１０８を一組としたモジュールを用いることもできる。
【００２９】
図５及び図６では、携帯電話機について示したが、これに限定されず、本形態で示す電子機器の構成は、テレビジョン、コンピュータ及びＰＤＡ（Ｐｅｒｓｏｎａｌ  Ｄｉｇｉｔａｌ  Ａｓｓｉｓｔａｎｔ）に代表される電子機器に広く適用することができる。
【００３０】
（電子機器の生産方法）
図７は、本形態に係る複数の部品を組み立てて完成する、電子機器の生産方法の一例をフローチャートで示す。電子機器はセットメーカーにおいて、光センサＡ１３４、光センサＢ１３５及び他の部品１３７の供給を受けて組立１３８が行われる。ここで、光センサＡ１３４は図３（Ａ）で示す出力特性を示すものとし、光センサＢ１３５は図３（Ｂ）で示す出力特性を示すものとする。
【００３１】
出力特性の異なる光センサは端子の配置が共通であり、どちらの部品を選んでも同じ仕様の回路基板に実装可能である。光センサの選択１３６では、電子機器の仕様に応じて、いずれか一方の光センサを選択する。電子機器を動作させる制御プログラムを記録媒体にインストールする。
【００３２】
この制御プログラムは、光センサの出力特性に対応して、その信号を処理する制御プログラムが用意されている。光センサ判別１３９において、電子機器に光センサＡが装着されたのか、光センサＢが装着されたのかを判別し、その判別結果に従って、制御プログラムＡのインストール１４０又は制御プログラムＢのインストール１４１が行われる。
【００３３】
制御プログラムＡは、低照度でカウント値が高く高照度になるにつてカウント値が減少する光センサＡの出力を、照度が高くなるにつれ照明の輝度が高くなるように照明駆動部を動作させる信号を生成する。制御プログラムＢは、照度が高くなると共にカウント値が増加する光センサＢの出力を、照度が高くなるにつれ照明の輝度が高くなるように照明駆動部を動作させる信号を生成する。このように、制御プログラムの内容を変更することで、出力特性の異なる光センサであっても、自由に選択することができる。
【００３４】
なお、記録媒体として不揮発性の半導体メモリが使用されるが、インストールという動作を伴わずに、制御プログラムが記録された不揮発性半導体メモリを回路基板に実装しても良い。電子機器の組立工程としては、その後、検査１４２を経て出荷１４３されることとなる。
【００３５】
（ソフトウエアについて）
光センサの出力を所定なものとして、電子機器の動作を可能とする制御プログラム及びシステム制御部等の詳細を説明する。
【００３６】
図１で示す構成として、光センサ１０３はデジタル信号を出力し、ディジタル出力値は１６ビット（０〜６５５３５）であるとする。光センサ１０３が受光した照度に比例したディジタル値を照明駆動部１０９の動作を制御する信号として扱えるように、システム制御部１０５を動作させるソフトウエアを記録媒体１１２に書き込む。
【００３７】
制御プログラムの態様としては、以下の３種類がある。
（１）光センサ１０３からのディジタル値を受信し、そのディジタル値を照明駆動部１０９の制御信号として送信する制御プログラム（以下「制御プログラム１」とする）。
（２）光センサ１０３からのディジタル値を受信し、そのディジタル値を光センサ１０３が受光した照度に比例するように変換した後に、照明駆動部１０９の制御信号として送信する制御プログラム（以下「制御プログラム２」とする）。
（３）光センサ１０３からのディジタル値を受信し、そのディジタル値を変換するかどうかをシステム制御部１０５のポート１の状態により判定し、必要ならそのディジタル値を光センサ１０３が受光した照度に比例するように変換した後に照明駆動部１０９の制御信号として送信する制御プログラム（以下「制御プログラム３」とする）。
以下、上記（１）〜（３）の制御プログラムの動作について説明する。
【００３８】
図８を参照して、制御プログラム１によってシステム制御部１０５が行うディジタル値出力処理を説明する。
（ステップ１）
システム制御部１０５は所定のタイミングにおいて、光センサ１０３へ照度読み取り命令を送信する。光センサ１０３はシステム制御部１０５から照度読み取り命令を受信すると、照度に比例したディジタル値ＯＰ（０≦ＯＰ≦６５５３５）をシステム制御部１０５へ送信する。
（ステップ２）
システム制御部１０５は、光センサ１０３から送信されたディジタル値ＯＰを受信する。
（ステップ３）
最後にシステム制御部１０５は、受信したＯＰをそのままシステム制御部１０５からのディジタル出力値ＯＭとして光源駆動部１０９へ送信する。
【００３９】
このときの、光センサ１０３が受光する照度と、光センサ１０３からシステム制御部１０５へのディジタル出力値ＯＰ、およびシステム制御部１０５から照明駆動部１０９へのディジタル出力値ＯＭとの関係を図９に示す。光センサ１０３からのディジタル出力値ＯＰおよびシステム制御部１０５からのディジタル出力値ＯＭは、どちらも光センサ１０３が受光する照度と比例関係になる。
【００４０】
図１０を参照して、制御プログラム２によってシステム制御部１０５が行うディジタル値出力処理を説明する（光センサ１０３のディジタル出力値が照度に反比例する場合）。
（ステップ１）
システム制御部１０５は所定のタイミングにおいて、光センサ１０３へ照度読み取り命令を送信する。光センサ１０３はシステム制御部１０５から照度読み取り命令を受信すると、照度に反比例したディジタル値ＯＰ（０≦ＯＰ≦６５５３５）をシステム制御部１０５へ送信する。
（ステップ２）
システム制御部１０５は、光センサ１０３から送信されたディジタル値ＯＰを受信する。
（ステップ３）
次にシステム制御部１０５は、下記の式（１）により、ＯＰに反比例するディジタル値ＯＭを算出する。
ＯＭ  ＝  ６５５３５  −  ＯＰ    ・・・（１）
ここでＯＰは照度に反比例した値であったから、ＯＭは照度に比例する値となる。
（ステップ４）
最後にシステム制御部１０５は、上記の式により算出したＯＭを光源駆動部１０９へ送信する。
以上の出力処理を行うことにより、システム制御部１０５は光センサ１０３が受光した照度に比例したディジタル値を光源駆動部１０９に送信することができる。
【００４１】
このときの、光センサ１０３が受光する照度と、光センサ１０３からシステム制御部１０５へのディジタル出力値ＯＰ、およびシステム制御部１０５から照明駆動部１０９へのディジタル出力値ＯＭとの関係を図１１に示す。光センサ１０３からのディジタル出力値ＯＰは光センサ１０３が受光する照度に反比例するが、システム制御部１０５からのディジタル出力値ＯＭは、光センサ１０３が受光する照度と比例関係になる。
【００４２】
図１２を参照して、制御プログラム３によってシステム制御部１０５が行うディジタル値出力処理を説明する（光センサ１０３のディジタル出力値が照度に比例する場合にも反比例する場合にも対応する場合）。
ここではポート１の電圧は以下のように設定しておくものとする。
（ｉ）光センサ１０３のディジタル出力値が照度に比例する場合→低電圧（Ｌｏｗ）
（ｉｉ）光センサ１０３のディジタル出力値が照度に反比例する場合→高電圧（Ｈｉｇｈ）
【００４３】
（ステップ１）
システム制御部１０５は所定のタイミングにおいて、光センサ１０３へ照度読み取り命令を送信する。光センサ１０３はシステム制御部１０５から照度読み取り命令を受信すると、照度に応じたディジタル値ＯＰ（０≦ＯＰ≦６５５３５）をシステム制御部１０５へ送信する。
（ステップ２）
システム制御部１０５は、光センサ１０３から送信されたディジタル値ＯＰを受信する。
（判定）
次にシステム制御部１０５はポート１の状態を調べる。ポート１の電圧レベルがＬｏｗであればステップ３に、Ｈｉｇｈであればステップ４に進む。
（ステップ３）
ステップ３に進んだ場合、システム制御部１０５は照明駆動部１０９に送信するディジタル値ＯＭをＯＰと等しくする。
（ステップ４）
ステップ４に進んだ場合、システム制御部１０５は照明駆動部１０９に送信するディジタル値ＯＭを下記の式（１）により算出する。
ＯＭ  ＝  ６５５３５  −  ＯＰ    ・・・（１）
ここでＯＰは照度に反比例した値であるから、ＯＭは照度に比例する値となる。
（ステップ５）
最後にシステム制御部１０５は、ディジタル値ＯＭを照明駆動部１０９へ送信する。システム制御部１０５は以上の出力処理を行うことにより、常に光センサ１０３が受光した照度に比例するディジタル値を照明駆動部１０９に送信することができる。
【００４４】
以上のように、光センサの出力特性が異なる場合であっても、当該部品の信号を処理する制御プログラムを、当該部品の入出力特性に応じて適宜変更し電子機器の記録媒体にインストールすることで、仕様の異なる部品の扱いに柔軟に対応することができる。
【００４５】
（さまざまな電子機器の態様）
本発明は、さまざまな電子機器に適用することができる。例えば、デジタルスチルカメラ、ビデオカメラ、テレビジョン装置の画面の明るさを制御するために用いることができる。この場合、表示パネルは、上記で説明したように液晶パネルを用いることはもとより、エレクトロルミネセンスパネル、プラズマディスプレイパネルなど、さまざまな方式のものに対応することができる。
【００４６】
図１３はテレビジョン装置１４４であり、筐体１４５、表示パネル１４６、光センサ部１４７を含む。スピーカー部１４８  、支持台１４９が付随するものとして含まれていても良い。表示パネル１４６は透過型の液晶ディスプレーであり、このテレビジョン装置１４４では、図１で示すシステムによりバックライトの明るさを制御するように構成されている。
【００４７】
このような構成により、テレビジョン装置１４４において、設置環境の明るさに応じて表示画面の明るさを自動的に調節することができる。それにより、視認性を良くすることができ、また消費電力を低減することができる。
【００４８】
テレビジョン装置の生産者にとっては、互換性のある光センサを一又は複数の部品メーカーから供給を受け、当該光センサの出力特性が異なる場合であっても、当該光センサの信号を処理する制御プログラムを適宜変更してテレビジョン装置の記録媒体にインストールすることで、生産性の改善を図ることができる。
【００４９】
図１４は、室内の天井や壁に照明装置１５０を取り付けた態様を示す。この照明装置１５０の光源にはエレクトロルミネセンスパネルが用いられている。照明装置１５０の操作はリモコン装置１５１によって行う。このとき、リモコン装置１５１の光センサ１４７により室内の明るさを検出することにより、照明装置１５０の明るさを制御することができる。この場合において、光センサ１５２として図３（Ａ）で示すような出力特性のものを使用することにより、居住に適した１５０〜３００ルクスの明るさ、読書等に適した３００〜５００ルクスの明るさをきめ細かく制御することができる。
【００５０】
照明装置の生産者にとっては、互換性のある光センサを一又は複数の部品メーカーから供給を受け、当該光センサの出力特性が異なる場合であっても、当該光センサの信号を処理する制御プログラムを適宜変更して照明装置のリモコンに設けられた記録媒体にインストールすることで、生産性の改善を図ることができる。
【図面の簡単な説明】
【００５１】
【図１】電子機器の機能ブロック図。
【図２】光センサの構成を示す図。
【図３】光センサの出力特性を説明する図。
【図４】低照度側でカウント値を高く出力する光センサの回路構成を示す図。
【図５】携帯電話機の概要を示す図。
【図６】主表示パネルと回路基板を組み合わせたモジュールを示す図。
【図７】複数の部品を組み立てて完成する電子機器の生産方法の一例を示すフローチャート。
【図８】制御プログラム１によってシステム制御部が行うディジタル値出力処理を行う方法を示すフローチャート。
【図９】ディジタル出力値ＯＰ、およびシステム制御部から照明駆動部へのディジタル出力値ＯＭとの関係を示す図。
【図１０】制御プログラム２によってシステム制御部が行うディジタル値出力処理を行う方法を示すフローチャート。
【図１１】ディジタル出力値ＯＰ、およびシステム制御部から照明駆動部へのディジタル出力値ＯＭとの関係を示す図。
【図１２】制御プログラム３によってシステム制御部が行うディジタル値出力処理を行う方法を示すフローチャート。
【図１３】テレビジョン装置の一例を示す図。
【図１４】照明装置の一例を示す図。
【符号の説明】
【００５２】
１００  電子機器
１０１  送受信部
１０２  音声入力部
１０３  光センサ
１０４  表示パネル
１０５  システム制御部
１０６  タイミング制御部
１０７  照明光源部
１０８  光源
１０９  照明駆動部
１１０  音声出力部
１１１  入力受付部
１１２  記録媒体
１１３  フォトダイオード
１１４  信号処理回路
１１５  入出力端子
１１６  増幅回路
１１７  第１スイッチ
１１８  第２スイッチ
１１９  キャパシタ
１２０  コンパレータ
１２１  光検出回路
１２２  携帯電話機
１２３  操作スイッチ類
１２４  マイクロフォン
１２５  操作部本体
１２６  主表示パネル
１２７  副表示パネル
１２８  スピーカ
１２９  表示部本体
１３０  蝶番
１３１  回路基板
１３２  筐体
１３３  フレキシブル配線基板
１３４  光センサＡ
１３５  光センサＢ
１３６  光センサ選択
１３７  他の部品
１３８  組立
１３９  光センサ判別
１４０  制御プログラムＡのインストール
１４１  制御プログラムＢのインストール
１４２  検査
１４３  出荷
１４４  テレビジョン装置
１４５  筐体
１４６  表示パネル
１４７  光センサ部
１４８  スピーカー部
１４９  支持台
１４６  照明装置
１４８  リモコン装置
１４７  光センサ
【図１】
2010008581.tif 000003
【図２】
2010008581.tif 000004
【図３】
2010008581.tif 000005
【図４】
2010008581.tif 000006
【図５】
2010008581.tif 000007
【図６】
2010008581.tif 000008
【図７】
2010008581.tif 000009
【図８】
2010008581.tif 000010
【図９】
2010008581.tif 000011
【図１０】
2010008581.tif 000012
【図１１】
2010008581.tif 000013
【図１２】
2010008581.tif 000014
【図１３】
2010008581.tif 000015
【図１４】
2010008581.tif 000016